(57)【要約】【課題】第一に見栄えを良くすることができ、第二に施工性の向上を図ることが可能な壁構造体を提供する。【解決手段】支柱１０と、下枠材と、上枠材と、横材と、縦材１４と、格子状に配設された上枠材と下枠材と横材と縦材で形成された複数のマス目領域にそれぞれ配設されるブロック材４とを備え、且つ、中間支柱１０ｂを、構造耐力を確保するための本体部１９と、本体部１９に一端を接続し奥行方向Ｔ３に突出するとともに上端側から下端側に延設された軸部２１、及び軸部２１の突出方向先端から幅方向Ｔ１に突出するとともに上端側から下端側に延設され、本体部１９よりも小さな幅寸法ｔ１で形成された支柱面部２２からなる外装部２０とを備えて構成する。【選択図】図１
2016098561.tif 000002
【特許請求の範囲】
【請求項１】
側端部側に立設される端部支柱及び一対の前記端部支柱の間に立設される中間支柱からなる支柱と、
前記支柱の下端側同士を繋ぐように架設された下枠材と、
前記支柱の上端側同士を繋ぐように架設された上枠材と、
隣り合う前記支柱に両端部を固着し、前記上枠材と前記下枠材の間に上下方向に所定の間隔をあけて配設される横材と、
上下方向に隣り合う前記上枠材と前記横材、又は前記横材同士、又は前記横材と前記下枠材に上端と下端をそれぞれ固着し、隣り合う前記支柱の間に幅方向の横方向に所定の間隔をあけて配設される縦材と、
格子状に配設された前記上枠材と前記下枠材と前記横材と前記縦材で形成された複数のマス目領域にそれぞれ配設されるブロック材とを備え、
且つ、前記中間支柱が、構造耐力を確保するための本体部と、
前記本体部に一端を接続し奥行方向の横方向に突出するとともに上端側から下端側に延設された軸部、及び前記軸部の突出方向先端から前記幅方向に突出するとともに上端側から下端側に延設され、前記本体部よりも小さな幅寸法で形成された支柱面部からなる外装部とを備えて構成されていることを特徴とする壁構造体。
【請求項２】
請求項１記載の壁構造体において、
前記縦材が上端側と下端側にそれぞれ上下方向外側に突出する接合凸部を備えて形成され、
前記上枠材と前記下枠材と前記横材にそれぞれ設けられた接合凹部に前記接合凸部を嵌合させて、前記縦材の上端と下端をそれぞれ前記上下方向に隣り合う前記上枠材と前記横材、又は前記横材同士、又は前記横材と前記下枠材に固着するように構成されている壁構造体。
【請求項３】
請求項１または請求項２に記載の壁構造体において、
前記ブロック材と、該ブロック材に隣接して配設される前記上枠材と前記下枠材と前記横材の少なくとも一つの部材との間に接着層が介装されている壁構造体。
【請求項４】
請求項１から請求項３のいずれか一項に記載の壁構造体において、
前記支柱が、本体部と、該本体部に一端を接続し前記幅方向外側に突出する係合凸部とを備えて形成され、
且つ、前記ブロック材が側面に係合凹部を備えて形成され、
前記支柱の前記係合凸部に前記係合凹部を係合させて前記ブロック材が配設されている壁構造体。
【請求項５】
請求項１から請求項４のいずれか一項に記載の壁構造体において、
前記端部支柱の本体部の幅が前記中間支柱の支柱面部の幅寸法と同等の寸法で形成されている壁構造体。
【発明の詳細な説明】
【技術分野】
【０００１】
本発明は、塀や垣根等の外構の壁構造体に関する。
【背景技術】
【０００２】
従来、塀や垣根等の外構の壁構造体には、複数のブロック材をモルタルなどで接合させつつ積み重ねて構築したものがある。しかしながら、この種の湿式の壁構造体は、モルタルを塗布しながらブロック材を積み重ねる作業などによって、また、モルタルが硬化するまでに時間を要することによって、工期が長期化するという欠点がある。
【０００３】
これに対し、例えば図１０に示すように、所定間隔をあけて立設される複数の支柱１と、隣り合う支柱１に架設される上枠材２及び下枠材３と、支柱１、上枠材２、下枠材３で囲まれた領域に設けられるとともに上下左右に並設される複数のブロック材４とを備えて構成した壁構造体Ａが提案、実用化されている（例えば、特許文献１参照）。
【０００４】
また、この乾式の壁構造体Ａでは、上下に並設されるブロック材４の間に、左右に隣り合う支柱１に架け渡して横材５が設けられ、左右に並設されるブロック材４の間に、隣り合う下枠材３と横材５、横材５同士、横材５と上枠材２に接続して縦材６が配設される。さらに、支柱１にはブロック材４を保持するための縦枠材７が取り付けられている。
【０００５】
このように構成した壁構造体Ａにおいては、上枠材２、下枠材３、縦枠材７、横材５、縦材６によって格子状の支持構造が支柱１間に形成され、この格子状の支持構造の各マス目領域に個々のブロック材４を配置して支持する。これにより、モルタルなどの湿式工法によって固定することなく、乾式工法で壁構造体Ａの強度を確保でき、大幅に施工性を高め、工期短縮を図ることが可能になる。
【先行技術文献】
【特許文献】
【０００６】
【特許文献１】特開２００９−１７９９９３号公報
【発明の概要】
【発明が解決しようとする課題】
【０００７】
しかしながら、上記従来の乾式の壁構造体Ａにおいては、壁構造体Ａの強度を確保するために、支柱１がある程度太く形成されており、特に壁構造体Ａの幅方向Ｔ１両側端部にそれぞれ設けられる一対の支柱１（端部支柱１ａ、コーナー支柱１ｃ）や、これら一対の支柱１（１ａ、１ｃ）の間に設けられる支柱（中間柱）１（１ｂ）が太いことによって壁構造体Ａの見栄えが悪くなってしまう。
【０００８】
また、上枠材２、下枠材３、縦枠材７、横材５、縦材６などの各部材をビス留めして固定するため、ビス点数が多く、これら各部材の取付作業に多大な時間と労力を要する。
【０００９】
本発明は、上記事情に鑑み、第一に見栄えを良くすることができ、第二に施工性の向上を図ることが可能な壁構造体を提供することを目的とする。
【課題を解決するための手段】
【００１０】
上記の目的を達するために、この発明は以下の手段を提供している。
【００１１】
本発明の壁構造体は、側端部側に立設される端部支柱及び一対の前記端部支柱の間に立設される中間支柱からなる支柱と、前記支柱の下端側同士を繋ぐように架設された下枠材と、前記支柱の上端側同士を繋ぐように架設された上枠材と、隣り合う前記支柱に両端部を固着し、前記上枠材と前記下枠材の間に上下方向に所定の間隔をあけて配設される横材と、上下方向に隣り合う前記上枠材と前記横材、又は前記横材同士、又は前記横材と前記下枠材に上端と下端をそれぞれ固着し、隣り合う前記支柱の間に幅方向の横方向に所定の間隔をあけて配設される縦材と、格子状に配設された前記上枠材と前記下枠材と前記横材と前記縦材で形成された複数のマス目領域にそれぞれ配設されるブロック材とを備え、且つ、前記中間支柱が、構造耐力を確保するための本体部と、前記本体部に一端を接続し奥行方向の横方向に突出するとともに上端側から下端側に延設された軸部、及び前記軸部の突出方向先端から前記幅方向に突出するとともに上端側から下端側に延設され、前記本体部よりも小さな幅寸法で形成された支柱面部からなる外装部とを備えて構成されていることを特徴とする。
【００１２】
この発明においては、中間支柱を本体部と軸部及び支柱面部からなる外装部とで構成し、壁構造体の壁面に露出する中間支柱の支柱面部の幅を小さく形成することで、従来のように太い中間支柱が壁構造体の壁面に露出する場合と比較し、構造耐力を確保しつつ見栄えを良くすることが可能になる。
【００１３】
また、本発明の壁構造体においては、前記縦材が上端側と下端側にそれぞれ上下方向外側に突出する接合凸部を備えて形成され、前記上枠材と前記下枠材と前記横材にそれぞれ設けられた接合凹部に前記接合凸部を嵌合させて、前記縦材の上端と下端をそれぞれ前記上下方向に隣り合う前記上枠材と前記横材、又は前記横材同士、又は前記横材と前記下枠材に固着するように構成されていることが望ましい。
【００１４】
この発明においては、接合凸部を接合凹部に上下方向に差し込んで嵌合させるだけで、縦材の上端や下端を、上枠材や下枠材、横材に固着することができる。これにより、従来と比較し、ビス留め数を大幅に少なくすることができ、施工性を大幅に向上させることが可能になる。
【００１５】
さらに、本発明の壁構造体においては、前記ブロック材と、該ブロック材に隣接して配設される前記上枠材と前記下枠材と前記横材の少なくとも一つの部材との間に接着層が介装されていることがより望ましい。
【００１６】
この発明においては、例えばブロック材の表面にバリのような凹凸が存在するなどしてブロック材の成形（加工）精度にバラつきが生じている場合であっても、ブロック材と上枠材や下枠材、横材との間に介装した接着層でこのバラつきを吸収することができる。また、ブロック材を強固に保持することができる。これにより、さらなる施工性の向上を図ることが可能になる。
【００１７】
また、本発明の壁構造体においては、前記支柱が、本体部と、該本体部に一端を接続し前記幅方向外側に突出する係合凸部とを備えて形成され、且つ、前記ブロック材が側面に係合凹部を備えて形成され、前記支柱の前記係合凸部に前記係合凹部を係合させて前記ブロック材が配設されていることがさらに望ましい。
【００１８】
この発明においては、支柱が本体部とブロック材の係合凹部を係合させる係合凸部とを備えて一体形成されているため、従来のようにブロック材を保持するための縦枠材を支柱にビス留めするなどして別途取り付ける必要がなくなる。これにより、さらなる施工性の向上を図ることが可能になる。
【００１９】
さらに、本発明の壁構造体においては、前記端部支柱の本体部の幅が前記中間支柱の支柱面部の幅寸法と同等の寸法で形成されていることが望ましい。
【００２０】
この発明においては、端部支柱の本体部の幅を中間支柱の支柱面部の幅寸法と同等の寸法にすると、構造耐力を確保しつつさらに見栄えを良くすることができる。
【発明の効果】
【００２１】
本発明の壁構造体においては、中間支柱を本体部と軸部及び支柱面部からなる外装部とで構成し、壁構造体の壁面に露出する中間支柱の支柱面部の幅を小さく形成することで、従来と比較し、構造耐力を確保しつつ見栄えを良くすることが可能になる。
【図面の簡単な説明】
【００２２】
【図１】本発明の一実施形態に係るＬ型の壁構造体の断面図である。
【図２】図１のＸ１−Ｘ１線矢視図であり、本発明の一実施形態に係る壁構造体の正面図である。
【図３】図１のＸ２−Ｘ２線矢視図であり、本発明の一実施形態に係る壁構造体の側面図である。
【図４】本発明の一実施形態に係る壁構造体の分解斜視図である。
【図５】本発明の一実施形態に係る壁構造体の縦材を示す斜視図である。
【図６】本発明の一実施形態に係る壁構造体の横材を示す斜視図である。
【図７】本発明の一実施形態に係る壁構造体の接着層を示す断面図である。
【図８】本発明の一実施形態に係る壁構造体の変更例であり、Ｉ型の壁構造体を示す断面図である。
【図９】図８のＸ１−Ｘ１線矢視図であり、本発明の一実施形態に係るＩ型の壁構造体の正面図である。
【図１０】従来の壁構造体を示す斜視図である。
【発明を実施するための形態】
【００２３】
以下、図１から図７を参照し、本発明の一実施形態に係る壁構造体について説明する。
ここで、本実施形態は、塀や垣根等の外構の壁構造体であり、特に乾式工法で構築されるＬ型の壁構造体に関するものである。
【００２４】
本実施形態のＬ型の壁構造体Ｂは、図１から図４に示すように、地中に埋設された基礎に下端側を支持させ、幅方向Ｔ１（横方向）に所定の間隔をあけて立設された複数の支柱１０と、隣り合う支柱１０の上端側同士、下端側同士の間に架設された上枠材１１及び下枠材１２と、隣り合う支柱１０に両端部を接続し、上枠材１１及び下枠材１２の間に上下方向Ｔ２に所定の間隔をあけて設けられた横材１３と、上下方向Ｔ２に隣り合う上枠材１１と横材１３、横材１３同士、横材１３と下枠材１２に上端、下端をそれぞれ接続し、幅方向Ｔ１に所定の間隔をあけて設けられた縦材１４と、格子状に配設された上枠材１１、横材１３、縦材１４、下枠材１２に支持させ、格子状の各部材で囲まれたマス目領域に配設されるブロック材４と、上枠材２の上に固設される笠木ベース１５、笠木１６とを備えて構成されている。
【００２５】
本実施形態のブロック材４は、方形ブロック状に形成されており、上下方向Ｔ２に積み重ね、幅方向Ｔ１に並べて壁体を形成するものである。また、本実施形態では、壁面となる一面から他面に貫通する貫通孔を備えた有孔ブロックがブロック材として用いられている。さらに、このブロック材４は、上面、下面、両側面の奥行方向Ｔ３（厚さ方向）略中央に、内側に凹み周方向に繋がる係合凹部４ａが形成されている。
なお、本発明にかかるブロック材は勿論、有孔ブロックでなくてもよい。
【００２６】
支柱１０は、例えばアルミニウム製の押出形材であり、複数の支柱１０として、壁構造体Ｂの両側端部及び角部（コーナー部）に設けられる端部支柱１０ａ、コーナー支柱１０ｃと、幅方向Ｔ１に隣り合う一対の端部の支柱（端部支柱１０ａ、コーナー支柱１０ｃ）の間に立設される中間支柱１０ｂとを備えている。
【００２７】
本実施形態の端部支柱１０ａ及びコーナー支柱１０ｃは、構造耐力を確保するための本体部１７と、隣り合う支柱１０に対向する本体部１７の一側面の奥行方向Ｔ３略中央に一体形成され、隣り合う支柱１０側に突出し、下端側から上端側まで延設された係合凸部１８とを備えて形成されている。本実施形態では、端部支柱１０ａ、コーナー支柱１０ｃの本体部１７が所定の強度を確保するように角管状あるいは平盤状に形成されている。
【００２８】
また、係合凸部１８は、所定の間隔をあけて突出し、上下方向Ｔ２に延びる２条の凸条で形成されている。さらに、これら２条の凸条の内面同士の間の間隔が後述の横材１３の係合凸部１８の幅寸法と略同等、外面同士の間隔がブロック材４の係合凹部４ａの幅寸法と略同等になるように形成されている。
【００２９】
中間支柱１０ｂは、略角管状に形成され、構造耐力を確保するための本体部１９と、奥行方向Ｔ３を向く本体部１９の前面側と後面側にそれぞれ一体形成された外装部２０とを備えて構成されている。また、外装部２０は、本体部１９の前面又は後面の幅方向Ｔ１中央に一端を接続し、奥行方向Ｔ３の前後方向外側に突出して下端から上端まで延設された平板状の軸部２１と、軸部２１の突出方向先端に幅方向Ｔ１中央を繋ぎ、壁面に沿って幅方向Ｔ１に延設（突設）された支柱面部２２とを備えてＴ字状に形成されている。
【００３０】
そして、本体部１９は中間支柱１０ｂの強度を確保するように幅寸法、奥行寸法等を設定して形成され、外装部２０は支柱面部２２の幅ｔ１が本体部１９の幅寸法ｔ２よりも小さな幅寸法で形成されている。
【００３１】
また、本実施形態では、端部支柱１０ａの本体部１７がその幅ｔ３を中間支柱１０ｂの支柱面部２２の幅寸法ｔ１と同等の寸法にして形成されている。
【００３２】
さらに、中間支柱１０ｂの本体部１９は、両側面側の本体部１９の奥行方向Ｔ３略中央にそれぞれ、隣り合う支柱１０側に突出して設けられるとともに下端側から上端側まで延設された係合凸部１８を一体に備えて形成されている。また、この係合凸部１８は、所定の間隔をあけて突出し、上下方向Ｔ２に延びる２条の凸条で形成されている。さらに、これら２条の凸条の内面同士の間の間隔が後述する横材１３の係合凸部１８の幅寸法と略同等、外面同士の間隔がブロック材４の係合凹部４ａの幅寸法と略同等になるように形成されている。
【００３３】
上枠材１１は、下面側に下方に突出し一端から他端まで延びる係合凸部１８を備えて形成されている。また、本実施形態の上枠材１１には、下面側の所定位置に、詳細を後述する縦材１４を接続するための接続孔（接合凹部）が凹設されている。そして、上枠材１１は、縦材１４の接続ピン２５を接続孔に嵌合させ、縦材１４で支持されて端部支柱１０ａ、コーナー支柱１０ｃに架け渡すように配設される。また、このとき、上枠材１１は、各支柱１０の２条の凸条の間に係合凸部１８を係合させて設置される。
【００３４】
下枠材１２は、図５に示すように、上面側の幅方向Ｔ１中央に上方に突出し一端から他端まで延びる係合凸部１８を備えて形成されている。また、本実施形態の下枠材１２には、上面側の所定位置に、縦材１４を接続するための接続孔（接合凹部）２７が凹設されている。そして、下枠材１２は、一端を端部支柱１０ａ、コーナー支柱１０ｃの一方に、他端を他方にそれぞれビス留めして配設される。このとき、下枠材１２は、各支柱１０の２条の凸条の間に係合凸部１８を係合させて固設される。
【００３５】
横材１３は、図６に示すように、上面側と下面側の幅方向Ｔ１中央にそれぞれ、上下方向Ｔ２に突出し一端から他端まで延びる係合凸部１８を備えて形成されている。そして、横材１３は、一端を隣り合う一方の支柱１０に、他端を他方の支柱１０にそれぞれビス２４で留めて配設される。また、このとき、横材１３は、各支柱１０の２条の凸条の間に係合凸部１８を係合させて固設される。
【００３６】
さらに、本実施形態の横材１３には、上面側と下面側のそれぞれの所定位置に、縦材を接続するための接続孔（接合凹部）２７が凹設されている（図５参照）。
【００３７】
縦材１４は、図５に示すように、略平板状の縦材本体部２３と、縦材本体部２３の両側面側の奥行方向Ｔ３略中央にそれぞれ、隣り合う支柱１０側または隣り合う縦材１４側に突出し、下端側から上端側まで延設された係合凸部１８を一体に備えて形成されている。また、この係合凸部１８は、所定の間隔をあけて突出し、上下方向Ｔ２に延びる２条の凸条で形成されている。さらに、これら２条の凸条の内面同士の間の間隔が横材１３の係合凸部１８の幅寸法と略同等、外面同士の間隔がブロック材４の係合凹部４ａの幅寸法と略同等になるように形成されている。
【００３８】
また、本実施形態の縦材１４は、上端側と下端側にそれぞれ、接続ピン（接合凸部）２５が上下方向Ｔ２に突出して設けられている。
【００３９】
そして、上記構成からなる本実施形態の壁構造体Ｂを構築する際には、支柱１０を立設するとともに両端を支柱１０に接続し、下枠材１２を設置する。このとき、下枠材１２の端部の係合凸部１８を支柱１０の２条の凸条の間に係合させ、必要に応じてビス留めするなどして下枠材１２の端部を支柱１０に接続する。
【００４０】
次に、下枠材１２の接続孔２７に接続ピン２５を嵌合させて複数の縦材１４を幅方向Ｔ１に所定の間隔をあけて設置する。
【００４１】
次に、支柱１０と下枠材１２と縦材１４で囲まれた複数のマス目領域にそれぞれ、ブロック材４を設置してゆく。このとき、ブロック材４の両側面と下面に形成された係合凹部４ａを支柱１０と縦材１４、下枠材１２に形成された係合凸部１８にそれぞれ係合させてブロック材４を設置する。これにより、複数のブロック材４がそれぞれ位置決めされ、幅方向Ｔ１に並べて設置される。
【００４２】
次に、隣り合う支柱１０の間の複数のブロック材４の上に横材１３を設置する。そして、横材１３の両端部を支柱１０にビス留めして固定する。
【００４３】
次に、横材１３の接続孔２７に接続ピン２５を嵌合させて２段目の複数の縦材１４を幅方向Ｔ１に所定の間隔をあけて設置する。
【００４４】
次に、支柱１０と横材１３と縦材１４で囲まれた２段目の複数の領域にそれぞれ、ブロック材４を設置してゆく。このとき、ブロック材４の両側面と下面に形成された係合凹部４ａを支柱１０と縦材１４、横材１３に形成された係合凸部１８にそれぞれ係合させてブロック材４を設置する。これにより、２段目の複数のブロック材４がそれぞれ位置決めされ、幅方向Ｔ１に並べて設置される。
【００４５】
上記の操作を繰り返し行い、順次上段のブロック材４を積み上げて設置する。
【００４６】
また、最上段の施工を行う際には、ブロック材４を設定し、各ブロック材４の上に、ブロック材４の上面の係合凹部４ａに上枠材１１の下面側の係合凸部１８を係合させ、また、上枠材１１の両端部側の係合凸部１８を支柱１０の２条の凸条の間に係合させ、さらに、上枠材１１の下面側の接続孔２７に縦材１４の上端側の接続ピン２５を嵌合させながら、上枠材１１を設置する。また、上枠材１１の両端部を支柱１０にビス留めして固定する。
【００４７】
次に、上枠材１１の上に笠木ベース１５、笠木１６を固設する。このようにして本実施形態の壁構造体Ｂが構築される。
【００４８】
一方、本実施形態では、上記のように壁構造体Ｂを構築する際に、図７に示すように、接着剤を塗布してブロック材４と横材１３（下枠材１２、上枠材１１）の間に接着層２６を介装させる。これにより、ブロック材４と各部材が強固に固着される。また、ブロック材４の成形・加工精度にバラつきが生じている場合であってもこの接着層２６で吸収されるため、好適にブロック材４が上下左右に整列して配設されることになる。
【００４９】
したがって、本実施形態の壁構造体Ｂにおいては、中間支柱１０ｂを本体部１９と軸部２１及び支柱面部２２からなる外装部２０とで構成し、壁構造体Ｂの壁面に露出する中間支柱１０ｂの支柱面部２２の幅ｔ１を小さく形成することで、従来のように太い中間支柱が壁構造体の壁面に露出する場合と比較し、構造耐力を確保しつつ見栄えを良くすることが可能になる。
また、本実施形態では、端部支柱１０ａの本体部１７がその幅ｔ３を中間支柱１０ｂの支柱面部２２の幅寸法ｔ１と同等の寸法にして形成されていることにより、構造耐力を確保しつつ、より見栄えを良くすることができる。
【００５０】
また、接続ピン（接合凸部）２５を接合凹部（接続孔）２７に上下方向Ｔ２に差し込んで嵌合させるだけで、縦材１４の上端や下端を、上枠材１１や下枠材１２、横材１３に固着することができる。これにより、従来と比較し、ビス留め数を大幅に少なくすることができ、施工性を大幅に向上させることが可能になる。
【００５１】
さらに、例えばブロック材４の表面にバリのような凹凸が存在するなどしてブロック材４の成形（加工）精度にバラつきが生じている場合であっても、ブロック材４と横材１３（上枠材１１や下枠材１２）との間に介装した接着層２６でこのバラつきを吸収することができる。また、ブロック材４を強固に保持することができる。これにより、さらなる施工性の向上を図ることが可能になる。
【００５２】
また、支柱１０が本体部１７、１９とブロック材４の係合凹部４ａを係合させる係合凸部１８とを備えて一体形成されているため、従来のようにブロック材４を保持するための縦枠材を支柱１０にビス留めするなどして別途取り付ける必要がなくなる。これにより、さらなる施工性の向上を図ることが可能になる。
【００５３】
以上、本発明に係る壁構造体の一実施形態について説明したが、本発明は上記の一実施形態に限定されるものではなく、その趣旨を逸脱しない範囲で適宜変更可能である。
【００５４】
例えば、本実施形態では、壁構造体ＢがＬ型に形成されているものとして説明を行ったが、本発明にかかる壁構造体Ｂは、例えば図８及び図９に示すようにＩ型などで形成されていてもよい。そして、この場合においても、本実施形態と同様の作用効果を得ることができる。
【００５５】
また、本実施形態では、中間支柱１０ｂの外装部２０がＴ字状に形成されているものとしたが、軸部２１と支柱面部２２を備えていれば、Ｌ字状など、他の形状であってもよい。
【符号の説明】
【００５６】
１      従来の支柱
１ａ    従来の端部支柱
１ｂ    従来の中間支柱
１ｃ    従来のコーナー支柱
２      従来の上枠材
３      従来の下枠材
４      ブロック材
４ａ    係合凹部
５      従来の横材
６      従来の縦材
７      縦枠材
１０    支柱
１０ａ  端部支柱
１０ｂ  中間支柱
１０ｃ  コーナー支柱
１１    上枠材
１２    下枠材
１３    横材
１４    縦材
１５    笠木ベース
１６    笠木
１７    本体部
１８    係合凸部
１９    本体部
２０    外装部
２１    軸部
２２    支柱面部
２３    縦材本体部
２４    ビス
２５    接続ピン（接合凸部）
２６    接着層
２７    接続孔（接合凹部）
Ａ      従来の壁構造体
Ｂ      壁構造体
Ｔ１    幅方向（横方向）
Ｔ２    上下方向
Ｔ３    奥行方向（横方向）
【図１】
2016098561.tif 000003
【図２】
2016098561.tif 000004
【図３】
2016098561.tif 000005
【図４】
2016098561.tif 000006
【図５】
2016098561.tif 000007
【図６】
2016098561.tif 000008
【図７】
2016098561.tif 000009
【図８】
2016098561.tif 000010
【図９】
2016098561.tif 000011
【図１０】
2016098561.tif 000012